(57)【特許請求の範囲】
【請求項１】
縦に２分割した後側面板２４と左側面板２１と前側面板２２と右側面板２３と縦に２分割した後側面板２４とを、折り目線を介して順に連設して、それぞれの上辺と下辺とに、上面板群２６・２６・２６・２６・２６と底面板群２７・２７・２７・２７・２７とを、折り目線を介してそれぞれ連設した、直方体状の段ボール箱２０のブランクと、縦に２分割した前胴枠板３２と斜角枠板３５と右胴枠板３３と斜角枠板３５と後胴枠板３４と斜角枠板３５と左胴枠板３１と斜角枠板３５と縦に２分割した前胴枠板３２とを、折り目線を介して順に連設した、八辺形筒状の段ボール製の補強胴枠３０のブランクとを、中心に対して、前後の胴枠保持盤４２・４４と左右の胴枠保持盤４１・４３と斜めの角枠保持盤４５・４５・４５・４５とが、それぞれ前後・左右・斜め方向に伸縮動する補強胴枠保持装置４０と、また中心に対して、４隅の側面保持盤５５・５５・５５・５５が、斜め方向に伸縮動する段ボール箱保持装置５０と、さらに中心に対して、前後の側面圧着盤６２・６４と左右の側面圧着盤６１・６３とが、それぞれ前後・左右方向に伸縮動する段ボール箱圧着装置６０とを用いて、
▲１▼伸長させた補強胴枠保持装置４０に、補強胴枠３０のブランクを巻付けて吸着するなどして、この補強胴枠３０を八辺形筒状に保持した状態で、段ボール箱保持装置５０内に挿入して、▲２▼伸長させた段ボール箱保持装置５０に、段ボール箱２０のブランクを巻付けて吸着するなどして、この段ボール箱２０を直方体筒状に保持した状態で、段ボール箱圧着装置６０を縮小させて、段ボール箱２０の前側面板２２に補強胴枠３０の前胴枠板３２・３２を、また補強胴枠３０の後胴枠板３４に段ボール箱２０の後側面板２４・２４を、それぞれ重ならないように突合せて、圧着して貼着した後に、▲３▼段ボール箱圧着装置６０を伸長させて段ボール箱２０から解放して、段ボール箱保持装置５０を縮小させて段ボール箱２０から引抜いて、また補強胴枠保持装置４０を縮小させて補強胴枠３０から引抜くことによって、
直方体状の段ボール箱２０内に、八辺形筒状の段ボール製の補強胴枠３０を挿入して、この直方体状の段ボール箱２０の前側面板２２に、補強胴枠３０の縦に２分割した前胴枠板３２・３２を、また八辺形筒状の段ボール製の補強胴枠３０の後胴枠板３４に、段ボール箱２０の縦に２分割した後側面板２４・２４を、それぞれ重ならないように突合せて貼着することを特徴とする補強胴枠付き段ボール箱の製箱方法。
【請求項２】
前記の補強胴枠保持装置４０の、少なくとも前方の胴枠保持盤４２に減圧吸着孔を設けて、この前方の胴枠保持盤４２に、補強胴枠３０のブランクの縦に２分割した前胴枠板３２・３２を吸着して、この補強胴枠３０を八辺形筒状に保持することを特徴とする、請求項１に記載の補強胴枠付き段ボール箱の製箱方法。
【請求項３】
前記の段ボール箱保持装置５０の、少なくとも後方の側面保持盤５５・５５に減圧吸着孔を設けて、この後方の側面保持盤５５・５５に、段ボール箱２０のブランクの縦に２分割した後側面板２４・２４を吸着して、この段ボール箱２０を直方体筒状に保持することを特徴とする、請求項１又は請求項２に記載の補強胴枠付き段ボール箱の製箱方法。
【発明の詳細な説明】
【０００１】
【発明の属する技術分野】
本発明は、直方体状の段ボール箱２０内に、八辺形筒状の段ボール製の補強胴枠３０を、機械的に挿入して貼着した、大容量のバッグインボックス用などの補強胴枠付き段ボール箱の製箱方法に関する。
【０００２】
【従来の技術】
従来から、主に液体状の内容物を収容した柔軟性を有する樹脂フィルム製などの袋体（バッグ）を、剛性を有する段ボール製や板紙製などの箱体内（インボックス）に収容した、各種のバッグインボックスが広く用いられているものであって、特に１０リットル以上の、大容量のバッグインボックス用の剛性を有する箱体としては、図５に示すような、通常の直方体状の段ボール箱２０内に、直方体筒状の段ボール製の補強胴枠３０を、隙間なく挿入して貼着した、また図４に示すような、直方体状の段ボール箱２０内に、八辺形筒状の段ボール製の補強胴枠３０を、挿入して貼着した、積重ね強度などを強化した補強胴枠付き段ボール箱が用いられている。
【０００３】
また従来から、家電製品や機械部品や食料品などの、重量がある内容物を収容する梱包箱として、同様に図５に示すような、通常の直方体状の段ボール箱２０内に、直方体筒状の段ボール製の補強胴枠３０を、隙間なく挿入して貼着した、また同様に図４に示すような、直方体状の段ボール箱２０内に、八辺形筒状の段ボール製の補強胴枠３０を、挿入して貼着した、積重ね強度などを強化した補強胴枠付き段ボール箱が用いられている。
【０００４】
【発明が解決しようとする課題】
ところが従来の、図５・図４に示す補強胴枠付き段ボール箱については、段ボール箱２０内に補強胴枠３０を挿入して貼着することによって、積重ね強度などを効果的に強化できるものの、通常の直方体状の段ボール箱２０内に、それぞれの左右幅がほゞ同一の、直方体筒状の段ボール製の補強胴枠３０を、機械的に隙間なく挿入することが困難であって、また直方体状の段ボール箱２０内に、余分な隙間や余裕などを持たせていない、八辺形筒状の段ボール製の補強胴枠３０を、機械的に挿入することが困難であって、やむを得ず手作業などで挿入するために、段ボール箱２０内に補強胴枠３０を挿入して貼着する工程で、手間がかかることが問題であった。
【０００５】
ところで、本発明の目的は、直方体状の段ボール箱２０内に、八辺形筒状の段ボール製の補強胴枠３０を、機械的に、手間をかけずに挿入して貼着した、大容量のバッグインボックス用などの、積重ね強度などを強化した補強胴枠付き段ボール箱の製箱方法を提供することにある。
【０００７】
【課題を解決するための手段】
本発明の補強胴枠付き段ボール箱の製箱方法は、縦に２分割した後側面板２４と左側面板２１と前側面板２２と右側面板２３と縦に２分割した後側面板２４とを、折り目線（符号がない１点鎖線；以下同じ）を介して順に連設して、それぞれの上辺と下辺とに、上面板群２６・２６・２６・２６・２６と底面板群２７・２７・２７・２７・２７とを、折り目線を介してそれぞれ連設した、図１Ａに示す直方体状の段ボール箱２０のブランクと、縦に２分割した前胴枠板３２と斜角枠板３５と右胴枠板３３と斜角枠板３５と後胴枠板３４と斜角枠板３５と左胴枠板３１と斜角枠板３５と縦に２分割した前胴枠板３２とを、折り目線を介して順に連設した、図１Ｂに示す八辺形筒状の段ボール製の補強胴枠３０のブランクとを、中心に対して、前後の胴枠保持盤４２・４４と左右の胴枠保持盤４１・４３と斜めの角枠保持盤４５・４５・４５・４５とが、それぞれ前後・左右・斜め方向に伸縮動する、図２Ａに示す補強胴枠保持装置４０と、また中心に対して、４隅の側面保持盤５５・５５・５５・５５が、斜め方向に伸縮動する、図２Ｂに示す段ボール箱保持装置５０と、さらに中心に対して、前後の側面圧着盤６２・６４と左右の側面圧着盤６１・６３とが、それぞれ前後・左右方向に伸縮動する、図２Ｃに示す段ボール箱圧着装置６０とを用いて、
▲１▼伸長させた補強胴枠保持装置４０に、補強胴枠３０のブランクを巻付けて吸着するなどして、図３Ａに示すように、この補強胴枠３０を八辺形筒状に保持した状態で、段ボール箱保持装置５０内に挿入して、▲２▼伸長させた段ボール箱保持装置５０に、段ボール箱２０のブランクを巻付けて吸着するなどして、図３Ｂに示すように、この段ボール箱２０を直方体筒状に保持した状態で、段ボール箱圧着装置６０を縮小させて、段ボール箱２０の前側面板２２に補強胴枠３０の前胴枠板３２・３２を、また補強胴枠３０の後胴枠板３４に段ボール箱２０の後側面板２４・２４を、それぞれ重ならないように突合せ（縦に２分割したために、隙間がない）て、圧着して貼着した後に（必要に応じて、段ボール箱２０の底面板群２７・２７・２７・２７・２７を貼着するなどして）、▲３▼段ボール箱圧着装置６０を伸長させて段ボール箱２０から解放して、図３Ｃに示すように、段ボール箱保持装置５０を縮小させて段ボール箱２０から引抜いて、また補強胴枠保持装置４０を縮小させて補強胴枠３０から引抜くことによって、
図４に示すように、直方体状の段ボール箱２０内に、八辺形筒状の段ボール製の補強胴枠３０を挿入して、この直方体状の段ボール箱２０の前側面板２２に、補強胴枠３０の縦に２分割した前胴枠板３２・３２を、また八辺形筒状の段ボール製の補強胴枠３０の後胴枠板３４に、段ボール箱２０の縦に２分割した後側面板２４・２４を、それぞれ重ならないように突合せて貼着する補強胴枠付き段ボール箱の製箱方法である。
【０００８】
加えて、本発明の補強胴枠付き段ボール箱の製箱方法は、前記の補強胴枠保持装置４０の、少なくとも前方の胴枠保持盤４２に図示しない減圧吸着孔を設けて、この前方の胴枠保持盤４２に、補強胴枠３０のブランクの縦に２分割した前胴枠板３２・３２を吸着して、図３Ａに示すように、この補強胴枠３０を八辺形筒状に保持する補強胴枠付き段ボール箱の製箱方法である。
【０００９】
また加えて、本発明の補強胴枠付き段ボール箱の製箱方法は、前記の段ボール箱保持装置５０の、少なくとも後方の側面保持盤５５・５５に図示しない減圧吸着孔を設けて、この後方の側面保持盤５５・５５に、段ボール箱２０のブランクの縦に２分割した後側面板２４・２４を吸着して、図３Ｂに示すように、この段ボール箱２０を直方体筒状に保持する補強胴枠付き段ボール箱の製箱方法である。
【００１１】
【作用】
本発明の補強胴枠付き段ボール箱の製箱方法においては、それぞれ前述した、図１Ａに示す直方体状の段ボール箱２０のブランクと、図１Ｂに示す八辺形筒状の段ボール製の補強胴枠３０のブランクとを、図２Ａに示す補強胴枠保持装置４０と、図２Ｂに示す段ボール箱保持装置５０と、図２Ｃに示す段ボール箱圧着装置６０とを用いて、
▲１▼伸長させた補強胴枠保持装置４０に、補強胴枠３０のブランクを巻付けて吸着するなどして、この補強胴枠３０を八辺形筒状に保持した状態で、段ボール箱保持装置５０内に挿入して、▲２▼伸長させた段ボール箱保持装置５０に、段ボール箱２０のブランクを巻付けて吸着するなどして、この段ボール箱２０を直方体筒状に保持した状態で、段ボール箱圧着装置６０を縮小させて、段ボール箱２０の前側面板２２に補強胴枠３０の前胴枠板３２・３２を、また補強胴枠３０の後胴枠板３４に段ボール箱２０の後側面板２４・２４を、それぞれ重ならないように突合せて、圧着して貼着した後に、▲３▼段ボール箱圧着装置６０を伸長させて段ボール箱２０から解放して、段ボール箱保持装置５０を縮小させて段ボール箱２０から引抜いて、また補強胴枠保持装置４０を縮小させて補強胴枠３０から引抜くことによって、
直方体状の段ボール箱２０内に、八辺形筒状の段ボール製の補強胴枠３０を、機械的に挿入して、この直方体状の段ボール箱２０の前側面板２２に、補強胴枠３０の縦に２分割した前胴枠板３２・３２を、また八辺形筒状の段ボール製の補強胴枠３０の後胴枠板３４に、段ボール箱２０の縦に２分割した後側面板２４・２４を、機械的に手間をかけずに、それぞれ重ならないように突合せて貼着できる、大容量のバッグインボックス用などの、積重ね強度などを強化した補強胴枠付き段ボール箱の製箱方法を提供することができる。
【００１２】
加えて、本発明の補強胴枠付き段ボール箱の製箱方法においては、前記の補強胴枠保持装置４０の、少なくとも前方の胴枠保持盤４２に減圧吸着孔を設けたことによって、この前方の胴枠保持盤４２に、補強胴枠３０のブランクの縦に２分割した前胴枠板３２・３２を吸着して、確実に補強胴枠３０を八辺形筒状に保持できる、補強胴枠付き段ボール箱の製箱方法を提供することができる。
【００１３】
また加えて、本発明の補強胴枠付き段ボール箱の製箱方法においては、前記の段ボール箱保持装置５０の、少なくとも後方の側面保持盤５５・５５に減圧吸着孔を設けたことによって、この後方の側面保持盤５５・５５に、段ボール箱２０のブランクの縦に２分割した後側面板２４・２４を吸着して、確実に段ボール箱２０を直方体筒状に保持できる、補強胴枠付き段ボール箱の製箱方法を提供することができる。
【００１４】
【発明の実施の形態】
本発明の補強胴枠付き段ボール箱の製箱方法については、後述する実施例などに示す段ボール箱２０に替えて、美麗な印刷が可能で体裁などが優れた板紙製の、１０リットル以上の大容量の袋体（バッグ）を収容する箱体内に、また重量がある内容物を収容する梱包箱内に、前述した補強胴枠保持装置４０と段ボール箱保持装置５０と段ボール箱圧着装置６０とを用いて、同様に八辺形筒状の段ボール製の補強胴枠３０を、機械的に挿入して、この直方体状の箱体又は梱包箱の前側面板２２に、補強胴枠３０の縦に２分割した前胴枠板３２・３２を、また八辺形筒状の段ボール製の補強胴枠３０の後胴枠板３４に、箱体又は梱包箱の縦に２分割した後側面板２４・２４を、機械的に手間をかけずに、それぞれ重ならないように突合せて貼着して、積重ね強度などを強化した補強胴枠付きの箱体又は梱包箱を得ることができる。
【００１５】
また、本発明の補強胴枠付き段ボール箱の製箱方法については、前述した補強胴枠保持装置４０と段ボール箱保持装置５０と段ボール箱圧着装置６０とが、図２Ａ・図２Ｂ・図２Ｃに矢印で示すように、中心に対して、それぞれ前後・左右・斜め方向に伸縮動するために、収容する１０リットル以上の大容量の袋体（バッグ）に適合させた、また収容する重量がある内容物に適合させた、直方体状の段ボール箱２０と八辺形筒状の段ボール製の補強胴枠３０との、微妙なサイズチェンジなどに簡単に対応することができる。
【００１６】
【実施例】
図１Ａ・図１Ｂは、実施例の補強胴枠付き段ボール箱における、直方体状の段ボール箱２０と八辺形筒状の段ボール製の補強胴枠３０とのブランクの平面図である。
【００１７】
すなわち、縦に２分割した後側面板２４と左側面板２１と前側面板２２と右側面板２３と縦に２分割した後側面板２４とを、折り目線を介して順に連設して、それぞれの上辺と下辺とに、上面板群２６・２６・２６・２６・２６と底面板群２７・２７・２７・２７・２７とを、折り目線を介してそれぞれ連設した、図１Ａに示す段ボール箱２０のブランクであって、また縦に２分割した前胴枠板３２と斜角枠板３５と右胴枠板３３と斜角枠板３５と後胴枠板３４と斜角枠板３５と左胴枠板３１と斜角枠板３５と縦に２分割した前胴枠板３２とを、折り目線を介して順に連設した、図１Ｂに示す補強胴枠３０のブランクであって、通常の印刷をした段の高さが３.６ｍｍのＣ段ボール紙を用いて、打抜型を用いた通常の打抜工程で、縦・横・高さが２８×３２×４０ｃｍの、３０リットル入りの柔軟性を有する樹脂フィルム製の袋体（バッグ）を収容する、大容量のバッグインボックス用の補強胴枠付き段ボール箱における、直方体状の段ボール箱２０と八辺形筒状の段ボール製の補強胴枠３０とのブランクを作製した。
【００１８】
図２Ａ・図２Ｂ・図２Ｃは、実施例の補強胴枠付き段ボール箱の製箱方法における、補強胴枠保持装置４０と段ボール箱保持装置５０と段ボール箱圧着装置６０との、動作を示す断面図である。
また図３Ａ・図３Ｂ・図３Ｃは、実施例の補強胴枠付き段ボール箱の製箱方法における、段ボール箱２０内に補強胴枠３０を挿入して貼着する工程を示す断面図である。
さらに図４は、実施例の補強胴枠付き段ボール箱における、段ボール箱２０内に補強胴枠３０を挿入して貼着した状態を示す斜視図である。
【００１９】
次に、図１Ａに示す段ボール箱２０のブランクと図１Ｂに示す補強胴枠３０のブランクとの、全ての符号がない折り目線を山折り（印刷をした表面側が山になる）して、中心に対して、図示しない減圧吸着孔を設けた前方の胴枠保持盤４２と後方の胴枠保持盤４４と左右の胴枠保持盤４１・４３と斜めの角枠保持盤４５・４５・４５・４５とが、それぞれ前後・左右・斜め方向に伸縮動する、図２Ａに示す補強胴枠保持装置４０と、また中心に対して、前方の側面保持盤５５・５５と図示しない減圧吸着孔を設けた後方の側面保持盤５５・５５とが、斜め方向に伸縮動する、図２Ｂに示す段ボール箱保持装置５０と、さらに中心に対して、前後の側面圧着盤６２・６４と左右の側面圧着盤６１・６３とが、それぞれ前後・左右方向に伸縮動する、図２Ｃに示す段ボール箱圧着装置６０とを用いて、
▲１▼伸長させた補強胴枠保持装置４０に、図１Ｂに示す補強胴枠３０のブランクを巻付けて、減圧吸着孔を設けた前方の胴枠保持盤４２に、補強胴枠３０の縦に２分割した前胴枠板３２・３２を吸着して、図３Ａに示すように、この補強胴枠３０を八辺形筒状に保持した状態で、前胴枠板３２・３２と右胴枠板３３と後胴枠板３４と左胴枠板３１とに接着剤を塗布して、段ボール箱保持装置５０内に挿入して、▲２▼伸長させた段ボール箱保持装置５０に、図１Ａに示す段ボール箱２０のブランクを巻付けて、減圧吸着孔を設けた後方の側面保持盤５５・５５に、段ボール箱２０の縦に２分割した後側面板２４・２４を吸着して、図３Ｂに示すように、この段ボール箱２０を直方体筒状に保持した状態で、段ボール箱圧着装置６０を縮小させて、段ボール箱２０の前側面板２２に補強胴枠３０の接着剤を塗布した前胴枠板３２・３２を、また補強胴枠３０の接着剤を塗布した後胴枠板３４に段ボール箱２０の後側面板２４・２４を、それぞれ重ならないように突合せて、圧着して貼着して、加えて段ボール箱２０の左側面板２１と右側面板２３とに補強胴枠３０の接着剤を塗布した左胴枠板３１と右胴枠板３３とを、念のために圧着して貼着した後に、段ボール箱２０の底面板群２７・２７・２７・２７・２７を貼着して閉底して、▲３▼段ボール箱圧着装置６０を伸長させて段ボール箱２０から解放して、図３Ｃに示すように、段ボール箱保持装置５０を縮小させて段ボール箱２０から引抜いて、また補強胴枠保持装置４０を縮小させて補強胴枠３０から引抜くことによって、
図４に示すように、直方体状の段ボール箱２０内に、八辺形筒状の段ボール製の補強胴枠３０を、機械的に、手間をかけずに挿入して貼着した、直方体状の段ボール箱２０と八辺形筒状の段ボール製の補強胴枠３０との、それぞれの糊代片を省略して作製費用などを軽減した、また糊代片を省略したために体裁が良い、３０リットル入りの柔軟性を有する樹脂フィルム製の袋体（バッグ）を収容する、大容量のバッグインボックス用の、積重ね強度などを強化した補強胴枠付き段ボール箱が得られた。
【００２０】
すなわち、本実施例の補強胴枠付き段ボール箱の製箱方法においては、▲１▼伸長させた補強胴枠保持装置４０に、補強胴枠３０のブランクを巻付けて吸着して、段ボール箱保持装置５０内に挿入して、▲２▼伸長させた段ボール箱保持装置５０に、段ボール箱２０のブランクを巻付けて吸着して、段ボール箱圧着装置６０を縮小させて、段ボール箱２０の前側面板２２に補強胴枠３０の前胴枠板３２・３２を、また補強胴枠３０の後胴枠板３４に段ボール箱２０の後側面板２４・２４を、それぞれ重ならないように突合せて、圧着して貼着した後に、▲３▼段ボール箱圧着装置６０を伸長させて段ボール箱２０から解放して、段ボール箱保持装置５０を縮小させて段ボール箱２０から引抜いて、また補強胴枠保持装置４０を縮小させて補強胴枠３０から引抜くことによって、直方体状の段ボール箱２０内に、八辺形筒状の段ボール製の補強胴枠３０を、機械的に挿入して、この直方体状の段ボール箱２０の前側面板２２に、補強胴枠３０の縦に２分割した前胴枠板３２・３２を、また八辺形筒状の段ボール製の補強胴枠３０の後胴枠板３４に、段ボール箱２０の縦に２分割した後側面板２４・２４を、機械的に手間をかけずに、それぞれ重ならないように突合せて貼着できるものであった。
【００２２】
【発明の効果】
以上、作用及び実施例に示すとおり、本発明の補強胴枠付き段ボール箱の製箱方法においては、▲１▼伸長させた補強胴枠保持装置に、補強胴枠のブランクを巻付けて吸着するなどして、この補強胴枠を八辺形筒状に保持した状態で、段ボール箱保持装置内に挿入して、▲２▼伸長させた段ボール箱保持装置に、段ボール箱のブランクを巻付けて吸着するなどして、この段ボール箱を直方体筒状に保持した状態で、段ボール箱圧着装置を縮小させて、段ボール箱の前側面板に補強胴枠の前胴枠板を、また補強胴枠の後胴枠板に段ボール箱の後側面板を、それぞれ重ならないように突合せて、圧着して貼着した後に、▲３▼段ボール箱圧着装置を伸長させて段ボール箱から解放して、段ボール箱保持装置を縮小させて段ボール箱から引抜いて、また補強胴枠保持装置を縮小させて補強胴枠から引抜くことによって、直方体状の段ボール箱内に、八辺形筒状の段ボール製の補強胴枠を、機械的に挿入して、この直方体状の段ボール箱の前側面板に、補強胴枠の縦に２分割した前胴枠板を、また八辺形筒状の段ボール製の補強胴枠の後胴枠板に、段ボール箱の縦に２分割した後側面板を、機械的に手間をかけずに、それぞれ重ならないように突合せて貼着できる、大容量のバッグインボックス用などの、積重ね強度などを強化した補強胴枠付き段ボール箱の製箱方法を提供することができる。
【図面の簡単な説明】
【図１】実施例の補強胴枠付き段ボール箱における、直方体状の段ボール箱２０と八辺形筒状の段ボール製の補強胴枠３０とのブランクの平面図である。
【図２】実施例の補強胴枠付き段ボール箱の製箱方法における、補強胴枠保持装置４０と段ボール箱保持装置５０と段ボール箱圧着装置６０との、動作を示す断面図である。
【図３】実施例の補強胴枠付き段ボール箱の製箱方法における、段ボール箱２０内に補強胴枠３０を挿入して貼着する工程を示す断面図である。
【図４】実施例の補強胴枠付き段ボール箱における、段ボール箱２０内に補強胴枠３０を挿入して貼着した状態を示す斜視図である。
【図５】従来の、補強胴枠付き段ボール箱の斜視図である。
【符号の説明】
２０        …段ボール箱
２１        …左側面板
２２        …前側面板
２３        …右側面板
２４        …後側面板
２６        …上面板群
２７        …底面板群
３０        …補強胴枠
３１        …左胴枠板
３２        …前胴枠板
３３        …右胴枠板
３４        …後胴枠板
３５        …斜角枠板
４０        …補強胴枠保持装置
４１・４３  …左右の胴枠保持盤
４２・４４  …前後の胴枠保持盤
４５        …斜めの角枠保持盤
５０        …段ボール箱保持装置
５５        …４隅の側面保持盤
６０        …段ボール箱圧着装置
６１・６３  …左右の側面圧着盤
６２・６４  …前後の側面圧着盤
【図１】
0003826456.tif 000002
【図２】
0003826456.tif 000003
【図３】
0003826456.tif 000004
【図４】
0003826456.tif 000005
【図５】
0003826456.tif 000006